(57)【特許請求の範囲】
【請求項１】
被写体側に開口部が設けられた発光部筐体内に、
閃光放電管と、前記開口部に向けて前記閃光放電管からの閃光を反射させる反射部材と、前記開口部に光学部材が複数枚設けられたストロボ装置であって、
前記複数の光学部材が前記発光部筐体に設けられた着脱孔に対して着脱可能に構成され、前記複数の光学部材のうちの一枚が抜脱された際に、その他の光学部材の抜脱を防止するロック機構が設けられたことを特徴とするストロボ装置。

【請求項２】
被写体側に開口部が設けられた発光部筐体内に、
閃光放電管と、前記開口部に向けて前記閃光放電管からの閃光を反射させる反射部材と、前記開口部に設けられた光学部材とを備えたストロボ装置であって、
前記光学部材よりも開口部側に透光性の保護部材を設け、前記光学部材が前記発光部筐体に設けられた着脱孔に対して着脱可能に構成され、
前記着脱孔は、前記発光部筐体の開口部近傍に設けられ、該着脱孔には、前記光学部材が抜脱された際に前記着脱孔を覆うためのスライド部材が設けられ、前記光学部材には、該光学部材が前記着脱孔に挿入された際に該着脱孔を覆うカバーが設けられていることを特徴とする請求項１に記載のストロボ装置。
【発明の詳細な説明】
【技術分野】
【０００１】
本発明は、写真撮影に用いられるストロボ装置に関するものである。
【背景技術】
【０００２】
従来より写真撮影に用いられるストロボ装置には、所望する範囲内に光源が発する光を均一に照射するための光学部材が用いられている。この光学部材は、例えばポリカーボネート等の樹脂素材が用いられている。
【０００３】
この種のストロボ装置は、光源となる閃光放電管が発光するたびに熱を発生することから、ストロボ装置を連続発光させた場合に、閃光放電管の熱によって光学部材の一部が変形する恐れがあった。
【０００４】
このため、閃光放電管を迅速に冷却し、部材の変形を防止するために、閃光放電管の発光と同時に発光部（閃光放電管と反射部材）を可動させて、光学部材と閃光放電管との間に間隙を設け、その間隙に過熱されていない空気を流入することで発光部を冷却するストロボ装置が提案されている。（例えば、特許文献１参照）
また、特許文献１のストロボ装置では、光学部材を開閉可能にして、発光後において光学部材を開放することで冷却効率を向上させる機構についても提案されている（図１０参照）。
【先行技術文献】
【特許文献】
【０００５】
【特許文献１】特開２００９−７５４０１号公報
【発明の概要】
【発明が解決しようとする課題】
【０００６】
ところで、発明者らの鋭意研究の結果、閃光放電管の温度は１０回に満たない連続発光でも２５０℃を超える場合がある。また、閃光放電管を熱源として熱せられたストロボ装置内の空気も１００℃近い温度に上昇することから、冷却のために特許文献１のように光学部材を発光後に開放させて発光部を露出させる機構には安全上の問題が懸念される。
【０００７】
また、発光部を移動することによって発生した間隙に過熱されていない空気を流入することで発光部を冷却する場合やストロボ装置内の熱を筐体外に排出した場合であっても、１００℃近い温度に晒されると光学部材が変形する場合もあり、光学部材の変形による光学性能の低下防止としても不十分であった。
【０００８】
したがって、本発明は、上記問題点を考慮してなされたもので、光源の発熱による光学部材の変形が起きた場合であっても、光学性能の低下を防止しつつ、使用者の安全を考慮したストロボ装置の提供を目的とする。
【課題を解決するための手段】
【０００９】
本発明に係るストロボ装置は、上記課題を解決するためになされたもので、被写体側に開口部が設けられた発光部筐体内に閃光放電管と、前記開口部に向けて前記閃光放電管からの閃光を反射させる反射部材と、前記開口部に設けられた光学部材とを備えたストロボ装置であって、前記光学部材よりも開口部側に透光性の保護部材を設け、前記光学部材が前記発光部筐体に設けられた着脱孔に対して着脱可能に構成されたことを特徴とする。
【００１０】
かかる構成によれば、発光部の熱によって光学部材が変形した場合や、閃光放電管が発する紫外線によって光学部材が変色、劣化を起こした場合に、使用者自身が光学部材を着脱孔に対して抜脱することにより新たな光学部材に交換可能となる。
【００１１】
また、従来のストロボ装置では光学部材が変形・劣化した際には、ストロボ装置を分解修理する必要があったが、本発明に係るストロボ装置では、部材交換が短時間で終了するため、使用者は撮影を直ちに再開することができる。
【００１２】
また、発光部筐体の開口部に透光性の保護部材が設けられて開口部を覆っていることから、高温となった発光部が露出しないため、使用者の安全をより確保することができる。
【００１３】
また、色温度特性の異なる光学部材（フィルター）を複数用意し、使用者が撮影状況に応じて光学部材を交換することで、閃光の色温度特性を所望する色温度特性に変換することが可能となる。
【００１４】
また、本発明に係るストロボ装置は、前記着脱孔が、前記発光部筐体の開口部近傍に設けられ、該着脱孔には、前記光学部材が抜脱された際に前記着脱孔を閉塞するためのスライド部材が設けられ、前記光学部材には、該光学部材が前記着脱孔に挿入された際に該着脱孔を覆うカバーが設けられていることが好ましい。
【００１５】
かかる構成によれば、光学部材が前記着脱孔に挿入することにより、カバーが着脱孔を覆い、また、光学部材が抜脱された際には、スライド部材が着脱孔を覆うことにより、着脱孔から水やほこりの侵入を防止することができる。
【００１６】
また、本発明に係るストロボ装置は、被写体側に開口部が設けられた発光部筐体内に閃光放電管と、前記開口部に向けて前記閃光放電管からの閃光を反射させる反射部材と、前記開口部に光学部材が複数枚設けられたストロボ装置であって、前記複数の光学部材が前記発光部筐体に設けられた着脱孔に対して着脱可能に構成され、前記複数の光学部材のうちの一枚が抜脱された際に、その他の光学部材の抜脱を防止するロック機構が設けられていることが好ましい。
【００１７】
かかる構成によれば、複数の光学部材のうちの一枚が抜脱された際に、その他の光学部材の抜脱を防止するロック機構が設けられているから、光学部材を誤挿入することがなく、交換することができる。
【発明の効果】
【００１８】
上記の構成によれば、発光部の熱によって光学部材が変形した場合や、閃光放電管が発する紫外線によって光学部材が変色、劣化を起こした場合に、使用者自身が簡易に光学部材を交換することで光学性能の低下を防止しつつ、発光部筐体の開口部に透光性の保護部材が設けられていることから、高温となった発光部が露出しないため、使用者の安全をより確保することができる。
【００１９】
また、従来のストロボ装置では光学部材が変形・劣化した際には、ストロボ装置を分解修理する必要があったが、本発明に係るストロボ装置では、部材交換が短時間で終了するため、使用者は撮影を直ちに再開することができ、使用面において有利になる。
【００２０】
また、色温度特性の異なる光学部材（フィルター）を複数用意し、使用者が撮影状況に応じて光学部材を交換することで、閃光の色温度特性を所望する色温度に変換することが可能となり、使用面において更に有利になる。
【図面の簡単な説明】
【００２１】
【図１】本発明の第１の実施形態に係るストロボ装置を示し、（ａ）はそれの前方側から見た斜視図、（ｂ）はそれの要部の横断平面図
【図２】本発明の第２の実施形態に係るストロボ装置を前方側から見た斜視図
【図３】本発明の第２の実施形態に係るストロボ装置を構成する２枚の光学部材を示し、（ａ）は２枚の光学部材が装着されている状態の斜視図、（ｂ）は後側の光学部材を抜脱する直前の状態の斜視図
【図４】（ａ）〜（ｄ）は図３で示した２枚の光学部材のロック及びロック解除状態を示す説明図
【発明を実施するための形態】
【００２２】
以下、本発明の実施の形態について図面を参照しながら説明する。
【００２３】
図１（ａ），（ｂ）に示すように、本実施の形態に係るストロボ装置は、被写体側となる前方側の開口部１Ｈに、ポリカーボネート等の樹脂でなる光学部材１と、光学部材１を保護するために光学部材１よりも被写体側に配置された透光性の樹脂等でなる保護部材２とが嵌合され、光学部材１の後方に配置された閃光放電管３と反射部材４とからなる発光部を収納した発光部筐体５と、発光部筐体５の下部に配置され回路部や電源を収納する本体部６とを備えている。
【００２４】
また、発光部筐体５の一方の横側面部（図１（ａ）の正面視において右側面部）の開口部１Ｈ近傍には、光学部材１を着脱可能な着脱孔７が設けられており、光学部材１が変形した場合や、経年劣化によって光学性能に変化が生じた場合に、予備の光学部材１と交換できるように構成されている。光学部材１の長手方向（着脱孔挿入方向）の一端部には、発光部筐体５内に着脱孔７を介して挿入した際に着脱孔７を覆う着脱孔用のカバー８が設けられている。
【００２５】
着脱孔７は、光学部材１の厚さよりもやや幅の広い縦長状の開口である。また、光学部材１が抜脱された際に着脱孔７から水やホコリの侵入を防止するため、着脱孔７の短手方向に移動可能なスライド部材としてのスライドカバー９が発光部筐体５の着脱孔７の近傍（着脱孔７の後側）に設けられている。
【００２６】
光学部材１の長手方向の一端部に設けられたカバー８は、前記した光学部材１が発光部筐体５内に挿入された際に着脱孔７を覆うカバーと、光学部材１を着脱孔７から抜脱する際の取手部とを兼ねている。
【００２７】
カバー８は、光学部材１を着脱孔７に固定保持する保持部８aと、保持部８ａに一体化され、発光部筐体５の外表面側に位置する外殻部８ｂから形成されている。また、外殻部８ｂは、保持部８aに対して断面中心軸が開口部１Ｈ側にずれた（オフセットした）形状に形成され、光学部材１の表裏を誤って挿入できないように構成されている。また、外殻部８ｂの形状に併せて着脱孔７も光学部材１の挿入方向に段差を付けた形状になっており、光学部材１を挿入することにより、外殻部８ｂの挿入方向前面８Ｆが着脱孔７の段差面７Ａに当接することで、光学部材１の発光部筐体５への挿入量（挿入深さ）を制限することができるようにしている。
【００２８】
また、スライドカバー９は、カバー８を持って光学部材１が発光部筐体５から抜脱された後に、コイルスプリング等の付勢部材１０の付勢力により、着脱孔７を覆うように着脱孔７の短手方向の開口部１Ｈ側に移動するように構成されている。尚、スライドカバー９のカバー８側端には、挿入された光学部材１のカバー８に形成された凹部８Ｃに入り込んで光学部材１が抜脱方向へ移動することを阻止する突起部９Ａを備えている。
【００２９】
さらに、着脱孔７内には、光学部材１の着脱を検知し、光学部材１の有無をストロボ装置の発光制御手段で検知するための着脱スイッチ１１が設けられている。従って、カバー８の保持部８aの外周の特定箇所に設けられたスイッチ接点１２が着脱スイッチ１１に接触することによって、光学部材１が挿入されていることが発光制御手段で検知され、これとは反対にスイッチ接点１２が着脱スイッチ１１に接触していないことによって、光学部材１が挿入されていないことを発光制御手段で検知されるように構成されている。
【００３０】
要するに、光学部材１が規定の位置に装着されている場合には、着脱スイッチ１１とスイッチ接点１２が導通し、発光可能であることが発光制御手段で検知され、ストロボ装置の発光が許可される。また、光学部材１が抜脱された場合や、規定の位置に装着されていない場合には、着脱スイッチ１１とスイッチ接点１２が導通しないことから、発光不可であることが発光制御手段で検知され、ストロボ装置の発光が禁止される。
【００３１】
次に、第二の実施形態に係るストロボ装置について説明する。このストロボ装置は、例えば照射角可変機構を備えるなど、光学部材により高度な光学性能が求められ、光学部材を複数枚使用し、発光部の露出を防ぐ透光性の保護部材２が省略されているストロボ装置である。
【００３２】
図２に示すように、発光部筐体５の開口部１Ｈ側に設けられる光学部材１aと、同じく開口部に設けられ、かつ、光学部材１aよりも発光部側に設けられる光学部材１ｂとを備えている。
【００３３】
第一の実施形態同様、発光部筐体５には、光学部材１a、１ｂそれぞれを装着するための着脱孔７a、７ｂが設けられ、光学部材１a、１ｂそれぞれの長手方向一端部には、前記と同様にカバー８Ａ、８Ｂが備えられる。尚、図２では、挿入された一方の光学部材１ａのカバー８Ａが発光部筐体５に嵌り込んでいる状態を示し、他方の光学部材１ｂは、発光部筐体５に挿入する直前の状態を示している。他の説明していない構成は、図１（ａ）と同一であるため、同一の符号を付している。
【００３４】
第二の実施形態に係るストロボ装置では、光学部材１aまたは１ｂのいずれか一方１a又は１ｂを抜脱した際に、他方１ｂ又は１ａが抜脱できないようにロック機構１３を更に備えている。
【００３５】
ロック機構１３は、２つの光学部材１ａ，１ｂそれぞれに同一のものが設けられており、一方の光学部材１ａ側をロックするロック機構１３の構成についてのみ説明する。
【００３６】
このロック機構１３は、平面視において略コの字状に構成されたロック部１４と、このロック部１４と係止して光学部材１ａの抜脱方向への移動を阻止するべく光学部材１ａに一体形成された鉤状の係止部１Ｋと、ロック部１４を係止部１Ｋ側へ移動付勢するコイルスプリング等からなる付勢部材１５とからなっている。尚、係止部１Ｋは、光学部材１ａに一体形成する他、別体形成した係止部を光学部材に取り付けてもよい。
【００３７】
ロック部１４は、図４（ａ）〜（ｄ）にも示すように、互いに平行となる一対の板部１４ａ，１４ｂと、これら板部１４ａ，１４ｂを同一側端で連結する連結板部１４ｃとを備えている。一対の板部１４ａ，１４ｂのうちの着脱孔７から離間する側の一方の板部１４ａを他方の板部１４ｂよりも長く構成し、その長い方の板部１４ａの先端部に基端部側ほど着脱孔７側に位置するテーパー面１４ｔを有するテーパー部１４Ｔを備えさせている。従って、着脱孔７を介して挿入される他方の光学部材１ｂに備えた解除ピン１Ｐが、テーパー面１４ｔに当接することによって、ロック部１４を付勢部材１５の付勢力に抗してロックを解除する方向へ移動させるように構成している。
【００３８】
尚、前記説明した一方の光学部材１ａのロック機構１３は、光学部材１ａの挿入方向先端で、かつ、光学部材１ａの幅方向一端（図では下端）の角部に備えられている。また、他方の光学部材１ｂのロック機構１３は、光学部材１ｂの挿入方向先端で、かつ、光学部材１ｂの幅方向他端（図では上端）の角部に備えられ、しかも、ロック部１４のロック方向が一方の光学部材１ａのロック機構１３のロック方向と１８０°反転した逆方向になっている。
【００３９】
このように構成されたロック機構１３のロック及びロック解除について図３（ａ），（ｂ）及び図４（ａ），（ｂ），（ｃ），（ｄ）に基づいて説明する。
【００４０】
光学部材１a，１ｂの双方が発光部筐体５に装着されている場合には、図３（ａ）に示すように、光学部材１aの解除ピン１Ｐが、光学部材１ｂのロック機構１３のテーパー部１４Ｔに当接し、かつ、光学部材１ｂの解除ピン１Ｐが、光学部材１aのロック機構１３のテーパー部１４ｔに当接する。このことから、両方のロック部１４，１４が付勢部材１５，１５の付勢方向とは逆の方向に移動され（具体的には、一方の光学部材１ｂのロック部１４が図において右側に、かつ、他方の光学部材１ａのロック部１４が図において左側に移動され）、係止部１Ｋ，１Ｋとロック部１４，１４との係止が解除された状態となる。この解除状態では、いずれかの光学部材１ａ又は１ｂを発光部筐体５内から取り出すことができる。
【００４１】
また、一方の光学部材１aが交換のために発光部筐体５内から抜脱された場合には、光学部材１ａの解除ピン１Ｐとテーパー部１４Ｔとの当接が解除される。これにより、ロック部１４が付勢部材１５により移動するため、光学部材１ｂの係止部１Ｋとロック部１４とが係止して光学部材１ｂがロックされる（図４（ｃ）の状態から図４（ｄ）への状態参照）。
【００４２】
そして、交換用の新たな光学部材１aが装着された場合には、光学部材１aの解除ピン１Ｐがテーパー面１４ｔに当接し、ロック部１４が付勢部材１５の付勢力に抗して付勢方向とは逆の方向（図では右側）に移動され、光学部材１ｂの係止部１Ｋとロック部１４との係止が解除され、光学部材１ｂが抜脱可能となる（図４（ｃ）参照）。
【００４３】
また、他方の光学部材１ｂが交換のために発光部筐体５内から抜脱された場合には、光学部材１ｂの解除ピン１Ｐとテーパー部１４Ｔとの当接が解除される。これにより、ロック部１４が付勢部材１５により移動するため、光学部材１ａの係止部１Ｋとロック部１４とが係止して光学部材１ａがロックされる（図３（ｂ）参照及び図４（ａ）から図４（ｂ）への状態参照）。
【００４４】
そして、交換用の新たな光学部材１ｂが装着された場合には、光学部材１ｂの解除ピン１Ｐがテーパー面１４ｔに当接し、ロック部１４が付勢部材１５の付勢力に抗して付勢方向とは逆の方向（図では左側）に移動され、光学部材１ａの係止部１Ｋとロック部１４との係止が解除され、光学部材１ａが抜脱可能となる（図４（ａ）参照）。
【００４５】
上記の構成により、発光部の熱によって光学部材１ａ，１ｂが変形した場合や、閃光放電管３が発する紫外線によって光学部材１ａ，１ｂが変色、劣化を起こした場合に、使用者自身が簡易に光学部材を交換することが可能となり、また、ロック機構１３，１３がそれぞれ独立していることにより、交換する光学部材の誤挿入を防止することができる。
【００４６】
また、ロック機構１３，１３は、発光部筐体５内で閃光に干渉しない位置、図では一箇所に集めるのではなく、上下の別々な位置に設けているため、閃光の熱の影響を受け難く、ロック機構１３，１３が変形することを回避することができる。
【００４７】
また、光学部材１a、１ｂはそれぞれ、光学特性が異なるので、２つのロック機構１３，１３が同じ位置にある必要は無く、異なる場所にも設けられることで、更に誤挿入を防止できる。
【００４８】
尚、本発明は、上記実施形態に限定されるものではなく、本発明の要旨を逸脱しない範囲内において種々の変更を加え得ることは勿論である。
【００４９】
上記実施形態において、２枚の光学部材１ａ，１ｂを交換できるように構成したが、３枚以上の光学部材を交換できるように構成してもよいし、保護部材を設けている場合には、保護部材も交換できるように構成して実施してもよい。
【００５０】
また、上記実施形態において、発光部筐体の横側面に着脱孔を備えたが、光学部材を上下方向から交換することができるように、発光部筐体の上面側又は下面側に着脱孔を備えさせてもよい。
【産業上の利用可能性】
【００５１】
本発明のストロボ装置は、発光部の熱によって光学部材が変形した場合や、閃光放電管が発する紫外線によって光学部材が変色、劣化を起こした場合に、使用者自身が光学部材を着脱孔に対して抜脱することにより新たな光学部材に交換できるように構成したことによって、光学性能の低下を防止しつつ、使用者の安全を考慮することができるという効果を有し、小型から大型に至る各種のストロボ装置において有用である。
【符号の説明】
【００５２】
１，１ａ，１ｂ  光学部材
１Ｋ  係止部
１Ｈ  開口部
１Ｐ  解除ピン
２  保護部材
３  閃光放電管
４  反射部材
５  発光部筐体
６  本体部
７，７ａ，７ｂ  着脱孔
７Ａ  段差面
８，８Ａ，８Ｂ  カバー
８ａ  保持部
８ｂ  外殻部
８Ｃ  凹部
８Ｆ  挿入方向前面
９  スライドカバー
９Ａ  突起部
１０  付勢部材
１１  着脱スイッチ
１２  スイッチ接点
１３  ロック機構
１４  ロック部
１４ａ，１４ｂ  板部
１４ｃ  連結板部
１４Ｔ  テーパー部
１４ｔ  テーパー面
１５  付勢部材
【図１】
0005532913.tif 000002
【図２】
0005532913.tif 000003
【図３】
0005532913.tif 000004
【図４】
0005532913.tif 000005